(57)【要約】【課題】外観性及び作業性を向上させることができるプロジェクターを提供すること。【解決手段】プロジェクター１は、外装を構成し、底面部２２に開口部２２１を有する外装筐体２と、開口部２２１を介して外装筐体２外部に突出し、プロジェクター１を載置面に載置する際に載置面に当接する脚部材５と、脚部材５を支持する支持部２２Ａとを備え、支持部２２Ａは、脚部材５における載置面に当接する先端部分が開口部２２１を介して外装筐体２内外に進退するように脚部材５を支持する。【選択図】図４
2010191269.tif 000002
【特許請求の範囲】
【請求項１】
画像情報に応じた画像を形成して投射するプロジェクターであって、
外装を構成し、底面部に開口部を有する外装筐体と、
前記開口部を介して前記外装筐体外部に突出し、当該プロジェクターを載置面に載置する際に前記載置面に当接する脚部材と、
前記脚部材を支持する支持部材とを備え、
前記支持部材は、
前記脚部材における前記載置面に当接する先端部分が前記開口部を介して前記外装筐体内外に進退するように前記脚部材を支持する
ことを特徴とするプロジェクター。
【請求項２】
請求項１に記載のプロジェクターにおいて、
前記開口部を閉塞するカバー部材を備える
ことを特徴とするプロジェクター。
【請求項３】
請求項１または請求項２に記載のプロジェクターにおいて、
前記支持部材は、
前記脚部材に係合する係合孔を有し、
前記脚部材は、
前記係合孔に挿通可能とし、前記脚部材の進退方向に延びる挿通軸部と、
前記挿通軸部の一端に設けられ、前記挿通軸部より拡径し、前記係合孔に係合する係合部と、
前記挿通軸部の他端に設けられ、前記挿通軸部より拡径し、前記載置面に当接する当接部とを備える
ことを特徴とするプロジェクター。
【請求項４】
請求項１に記載のプロジェクターにおいて、
前記支持部材は、
前記開口部の開口面に略平行する軸を中心として回動可能に前記脚部材を軸支し、
前記脚部材は、
前記開口部に遊嵌する板体形状を有し、前記軸を中心として回動することで、前記開口部に遊嵌する閉位置、または前記先端部分が前記外装筐体外部に突出する当接位置に移動する
ことを特徴とするプロジェクター。
【発明の詳細な説明】
【技術分野】
【０００１】
本発明は、プロジェクターに関する。
【背景技術】
【０００２】
従来、画像情報に応じた画像を形成して投射するプロジェクターとして、机等の載置面に載置して（以下、正置き）設置する際に、載置面に当接する複数の脚部材（調整脚部）を備えている構成が知られている（例えば、特許文献１参照）。
特許文献１に記載の脚部材は、外装筐体の底面部に取り付けられ、当該底面部に対して進退可能に構成されている。すなわち、利用者は、底面部に対して脚部材を進退することで、正置き設置した場合でのプロジェクターの傾斜状態を変更し、プロジェクターから投射されスクリーン等に表示される投射画像の位置を変更できる。
【先行技術文献】
【特許文献】
【０００３】
【特許文献１】特開２００５−４３５９７号公報
【発明の概要】
【発明が解決しようとする課題】
【０００４】
しかしながら、特許文献１に記載のプロジェクターでは、天井等から吊り下げて（以下、天吊り）設置する際に、天面部が天井に対向する姿勢となるように設計した場合には、底面部に脚部材が設けられているため、脚部材が見え易いものとなり、外観上好ましくない、という問題がある。
【０００５】
本発明の目的は、外観上好ましいプロジェクターを提供することにある。
【課題を解決するための手段】
【０００６】
本発明のプロジェクターは、画像情報に応じた画像を形成して投射するプロジェクターであって、外装を構成し、底面部に開口部を有する外装筐体と、前記開口部を介して前記外装筐体外部に突出し、当該プロジェクターを載置面に載置する際に前記載置面に当接する脚部材と、前記脚部材を支持する支持部材とを備え、前記支持部材は、前記脚部材における前記載置面に当接する先端部分が前記開口部を介して前記外装筐体内外に進退するように前記脚部材を支持することを特徴とする。
【０００７】
本発明では、脚部材は、載置面に当接する先端部分が外装筐体の開口部を介して外装筐体内外に進退するように支持部材に支持される。すなわち、脚部材を外装筐体内部に移動させることで、脚部材全体が外装筐体内部に位置する状態（以下、第１の状態）や、脚部材の先端部分が開口部の開口面と略同一位置に位置する状態（以下、第２の状態）に設定できる。このため、例えば、天面部を天井に対向する姿勢で天吊り設置する場合には、上記の各状態に設定することで、脚部材を見え難いものとすることができ、外観上好ましいものとすることができる。
【０００８】
本発明のプロジェクターでは、前記開口部を閉塞するカバー部材を備えていることが好ましい。
本発明では、開口部を閉塞するカバー部材を備えるので、脚部材を上記第１の状態に設定した後、カバー部材にて開口部を閉塞すれば、カバー部材にて脚部材を覆い隠すことができ、外観上より好ましいものとすることができる。
【０００９】
本発明のプロジェクターでは、前記支持部材は、前記脚部材に係合する係合孔を有し、前記脚部材は、前記係合孔に挿通可能とし、前記脚部材の進退方向に延びる挿通軸部と、前記挿通軸部の一端に設けられ、前記挿通軸部より拡径し、前記係合孔に係合する係合部と、前記挿通軸部の他端に設けられ、前記挿通軸部より拡径し、前記載置面に当接する当接部とを備えることが好ましい。
【００１０】
ところで、脚部材として、挿通軸部を省略し、係合部及び当接部のみで構成した場合には、上述した各状態に設定すると、脚部材の先端部分が外装筐体外面から突出しておらず、かつ、支持部材の係合孔に係合部が係合している状態であるため、脚部材を把持して外装筐体外部に移動させることが難しい。
本発明では、脚部材は、係合部及び当接部の他、挿通軸部を備える。このことにより、上述した第１の状態に設定した場合には、係合孔に係合部が係合しておらず、係合孔に挿通軸部が挿通した状態とすることができる。このため、例えば、上述したカバー部材を用いた構成とし、カバー部材を取り外す、あるいは、移動させて開口部を開放すれば、脚部材は、その自重により、係合孔に係合部が係合するまで外装筐体外部に移動することとなる。すなわち、脚部材の先端部分を外装筐体外面から突出させ、正置き設置する際に使用可能な状態に脚部材を容易に設定できる。
【００１１】
本発明のプロジェクターでは、前記支持部材は、前記開口部の開口面に略平行する軸を中心として回動可能に前記脚部材を軸支し、前記脚部材は、前記開口部に遊嵌する板体形状を有し、前記軸を中心として回動することで、前記開口部に遊嵌する閉位置、または先端部分が前記外装筐体外部に突出する当接位置に移動する前記支持部材は、前記開口部を閉塞することが好ましい。
本発明では、脚部材は、支持部材に回動可能に軸支され、回動することで、開口部に遊嵌する閉位置、または先端部分が外装筐体外部に突出する当接位置に移動する。このことにより、脚部材を閉位置に位置付けることで、開口部を閉塞できる。すなわち、脚部材が上述したカバー部材を兼ねることとなり、脚部材の他、別途、上述したカバー部材を用いる必要がないため、部品点数を削減することができる。
【図面の簡単な説明】
【００１２】
【図１】本発明の第１実施形態に係るプロジェクターを前面上方側から見た斜視図。
【図２】前記プロジェクターを前面下方側から見た斜視図。
【図３】前記プロジェクターを前面下方側から見た斜視図。
【図４】図３のＩＶ−ＩＶ線断面図。
【図５】本発明の第２実施形態に係るプロジェクターを前面下方側から見た斜視図。
【図６】図５のＶＩ−ＶＩ線断面図。
【図７】前記第１実施形態に係るプロジェクターの変形例を示す図。
【発明を実施するための形態】
【００１３】
［第１実施形態］
以下、本発明に係る第１実施形態を図面に基づいて説明する。
［プロジェクターの概略構成］
図１は、本発明に係るプロジェクター１を上方側から見た斜視図である。
図２、３は、プロジェクター１を下方側から見た斜視図であり、具体的には、図２は、プロジェクター１が正置き設置された状態を下方側から見た斜視図であり、図３は、プロジェクター１が天吊り設置された状態を下方側から見た斜視図である。
なお、以下では、投射レンズ３が配設される側を「前面」とし、その反対側を「背面」とする。
【００１４】
プロジェクター１は、画像情報に応じた画像を形成してスクリーン（図示略）上に投射する。このプロジェクター１は、図１に示すように、外装を構成する外装筐体２を備える。
外装筐体２は、図１に示すように鉛直方向に対して交差する天面部２１及び底面部２２を備え、略直方体形状を有する。そして、外装筐体２は、プロジェクター１の装置本体を収納する。
ここで、前記装置本体としては、光源装置、前記光源装置から射出された光束を画像情報に応じて変調する液晶パネル等の光変調装置、及び光変調装置にて変調された光束を投射する投射レンズ３等を有する光学ユニット、プロジェクター１内部を冷却する冷却ファン等を有する冷却ユニット、各構成部材に電力を供給する電源ユニット、及び光変調装置等を制御する制御装置等で構成されている。
なお、前記装置本体については、種々の一般的なプロジェクターで利用されているため、具体的な図示及び説明を省略する。
【００１５】
外装筐体２の天面部２１の左右両側には、図１に示すように、一対のハンドル４が取り付けられる。
ハンドル４は、プロジェクター１を持ち運ぶ際等に利用者により把持される部材であり、略Ｕ字形状を有するように形成される。そして、一対のハンドル４は、互いに平行となり、かつ、前後方向に延出するように、略Ｕ字形状の両端が天面部２１にそれぞれ取り付けられている。
【００１６】
これら一対のハンドル４には、図１に示すように、プロジェクター１を天吊り設置する際に、天吊り用の金具（図示略）が取り付けられる複数のネジ孔４１が形成されている。
すなわち、本実施形態のプロジェクター１は、天吊り設置する際に、天面部２１が上方側（天井側）に向き、底面部２２が下方側に向く姿勢で設置するように設計されている。
【００１７】
外装筐体２の底面部２２の四隅部分には、図２に示すように、脚部材５が取り付けられている。この脚部材５は、後述する支持部材としての支持部２２Ａ（図４参照）に支持されている。
ここで、プロジェクター１を正置き設置する場合には、脚部材５は、図２に示すように、底面部２２に形成された開口部２２１から突出し、机等の載置面に当接する。一方、プロジェクター１を天吊り設置する場合には、脚部材５は、図３に示すように、外装筐体２内部に収納される。そして、開口部２２１は、カバー部材６にて閉塞される。
以下、脚部材５、支持部２２Ａ、及びカバー部材６の形状について説明する。
【００１８】
［脚部材の構成］
図４は、図３でのＩＶ−ＩＶ線断面図である。具体的には、図４（Ａ）は、正置き設置されている状態を示す図であり、図４（Ｂ）は、天吊り設置されている状態を示す図である。
脚部材５は、プロジェクター１を正置き設置する際に机等の載置面に当接し、プロジェクター１を所定の姿勢に設定する部材である。脚部材５は、図４に示すように、挿通軸部５１と、螺合部５２と、当接部５３とを備える。
【００１９】
挿通軸部５１は、円柱状に形成され、脚部材５の進退方向に延出している。この挿通軸部５１の外径は、後述する支持部２２Ａのネジ孔２２Ａ１の外径より小さく形成されている。
螺合部５２は、挿通軸部５１の一端に設けられ、挿通軸部５１よりも拡径し、支持部２２Ａのネジ孔２２Ａ１に螺合する部分である。また、螺合部５２は、回動されることで、螺合部５２のストロークが変更されて、プロジェクター１の姿勢の高さを調整するものである。すなわち、プロジェクター１を正置き設置した際に、脚部材５を回動させることで、底面部２２に対して脚部材５の突出長さが変更され、プロジェクター１の傾斜状態が変更される。これにより、スクリーン上に投射される投射画像の位置が変更される。
当接部５３は、挿通軸部５１の他端に設けられ、挿通軸部５１よりも拡径し、円錐台状に形成されている。この当接部５３は、載置面に当接して、プロジェクター１を支持する部分である。
【００２０】
［カバー部材の構成］
カバー部材６は、図３に示すように、略矩形状の板体で形成されている。また、カバー部材６には、図４（Ｂ）に示すように、取り外す際に指の爪等を入れるための切欠部６１が形成されている。また、カバー部材６の両端部分には、図４（Ｂ）に示すように、一対の突起状の係止部６２が形成されている。
【００２１】
ここで、開口部２２１は、図４に示すように、各脚部材５が突出または収納される大きさに形成されている。また、開口部２２１の周縁部分の一部には、図４に示すように、カバー部材６の係止部６２が係止する凹状の係止凹部２２１Ａが形成されている。
【００２２】
［支持部の構成］
支持部２２Ａは、図４に示すように、底面部２２から天面部２１に向けて凹状に窪んだ凹部として形成されている。そして、前記凹部の開口部分が上述した開口部２２１として機能する。この支持部２２Ａ１において、底部分には、螺合部５２が螺合するネジ孔２２Ａ１が形成されている。
【００２３】
［脚部材の進退動作］
次に、脚部材５の進退動作について説明する。
先ず、プロジェクター１を正置き設置から天吊り設置とする場合、すなわち、図４（Ａ）に示す状態から図４（Ｂ）に示す状態への動作を説明する。
図４（Ａ）に示すように、脚部材５が開口部２２１から突出している状態において、先ず、螺合部５２とネジ孔２２Ａ１との螺合を解除するために、脚部材５を回動させて、挿通軸部５１がネジ孔２２Ａ１に挿通された状態にする。次に、カバー部材６を当接部５３に対して当接させて、カバー部材６を介して、当接部５３を押圧することにより、当接部５３を支持部２２Ａへ収納する。そして、カバー部材６の係止部６２を係止凹部２２１Ａに係止させて、開口部２２１を閉塞する。すなわち、天吊り設置とする場合には、上記のように、脚部材５全体を外装筐体２内部に位置付ける。
【００２４】
一方、プロジェクター１を天吊り設置から正置き設置とする場合、すなわち、図４（Ｂ）に示す状態から図４（Ａ）に示す状態への動作を説明する。
図４（Ｂ）に示すように、当接部５３が支持部２２Ａに収納されている状態において、先ず、開口部２２１を開放するために、カバー部材６の切欠部６１に指の爪等を引っ掛け、係止部６２と係止凹部２２１Ａとの係止を解除し、カバー部材６を取り外す。これにより、カバー部材６の内面に当接していた脚部材５が自重により下方へ移動する。具体的には、螺合部５２がネジ孔２２Ａ１に引っ掛かるまで、下方へ移動する。そして、脚部材５を回動して、螺合部５２をネジ孔２２Ａ１に螺合する。すなわち、正置き設置とする場合には、上記のように、脚部材５の先端部分を外装筐体２外部に突出させる。
【００２５】
上述した第１実施形態によれば、以下の効果がある。
本実施形態では、脚部材５は、載置面に当接する当接部５３が外装筐体２の開口部２２１を介して外装筐体２内外に進退するように支持部２２Ａに支持される。すなわち、脚部材５を外装筐体２内部に移動させることで、脚部材５全体が外装筐体２内部に位置する状態にて設定できる。このため、天面部２１を天井に対向する姿勢で天吊り設置する場合には、上記の状態に設定することで、脚部材５を見え難いものとすることができ、外観上好ましいものとすることができる。
また、開口部２２１を閉塞するカバー部材６を備えるので、脚部材５を上記第１の状態に設定した後、カバー部材６にて開口部２２１を閉塞すれば、カバー部材６にて脚部材５を覆い隠すことができ、外観上より好ましいものとすることができる。
【００２６】
さらに、脚部材５は、螺合部５２及び当接部５３の他、挿通軸部５１を備える。このことにより、上記の状態に設定した場合には、ネジ孔２２Ａ１に螺合部５２が螺合しておらず、ネジ孔２２Ａ１に挿通軸部５１が挿通された状態とすることができる。このため、カバー部材６を取り外して、開口部２２１を開放すれば、脚部材５は、その自重により、ネジ孔２２Ａ１に螺合部５２が引っ掛かるまで外装筐体２外部に移動することとなる。すなわち、脚部材５の当接部５３を外装筐体２外面から突出させ、正置き設置する際に使用可能な状態に脚部材５を容易に設定できる。
また、ネジ孔２２Ａ１に挿通する挿通軸部５１を備えることで、脚部材５の外装筐体２内外への収納、取り出しを容易にすることができるとともに、脚部材５を引っ張り出させるように、指を入れるために開口部２２１を大きくする必要がない。
【００２７】
［第２実施形態］
図５は、本発明の第２実施形態に係るプロジェクター１を前面下方側から見た斜視図である。図６は、図５でのＶＩ−ＶＩ線断面図である。図の説明にあたって、前記実施形態と同一構成要素については、同一符号を付し、その説明を省略する。
本実施形態では、脚部材５Ａが前記第１実施形態でのカバー部材６を兼ねることとなる。すなわち、本実施形態での脚部材５Ａは、前記第１実施形態での脚部材５及びカバー部材６の機能を果たしている。
【００２８】
脚部材５Ａは、図５に示すように、開口部２２１に遊嵌する板体形状を有し、脚部材５Ａの一端に設けられた支持部材としてのヒンジ５０（図６）により開口部２２１に取り付けられている。そして、ヒンジ５０を中心として回動することで、開口部２２１に遊嵌する閉位置（二点鎖線の位置）、または先端部分が外装筐体２外部に突出する当接位置（実線の位置）の二段階に移動する。
【００２９】
上述した第２実施形態によれば、以下の効果がある。
本実施形態では、脚部材５Ａは、ヒンジ５０に回動可能に軸支され、回動することで、開口部２２１に遊嵌する閉位置、または先端部分が外装筐体外部に突出する当接位置に移動する。このことにより、脚部材５Ａを閉位置に位置付けることで、開口部２２１を閉塞できる。すなわち、脚部材５Ａが前記第１実施形態のカバー部材６を兼ねることとなり、脚部材５Ａの他、別途、カバー部材６を用いる必要がないため、部品点数を削減することができる。また、脚部材５Ａの先端部分を外装筐体２外部に突出する当接位置に位置付けることで、載置面に当接させることができる。
【００３０】
［実施形態の変形］
なお、本発明は前述の実施形態に限定されるものではなく、本発明の目的を達成できる範囲での変形、改良等は本発明に含まれるものである。
図７は、本発明の前記第１実施形態に係るプロジェクター１の変形例を示す図である。具体的に、図７（Ａ）は、正置き設置されている状態を示す図であり、図７（Ｂ）は、天吊り設置されている状態を示す図である。
前記第１実施形態では、カバー部材６は、開口部２２１に対して着脱自在に取り付けられていたが、図７に示すように、カバー部材６の一端にヒンジ６３を取り付けて、カバー部材６を回動するようにしてもよい。これによれば、開口部２２１を開放して、脚部材５を取り出す際に、カバー部材６を取り外す必要がなく、カバー部材６を失くす等の作業の煩雑化を防止できる。
【００３１】
また、前記第１実施形態では、支持部２２Ａは、外装筐体２の底面部２２と一体に成形されていたが、これに限定されず、脚部材５を支持する構造で、外装筐体２と別体で構成してもよい。
前記第１実施形態では、カバー部材６が着脱式であったが、スライド式にしてもよい。すなわち、外装筐体２の底面部２２の一部にカバー部材６を収納するための溝部を形成し、カバー部材６を底面部２２に沿ってスライドさせて、当該溝部に収納してもよい。
【００３２】
前記第１実施形態では、脚部材５の当接部５３の肉厚が厚く形成されていたが、この当接部５３の肉厚を薄く形成してもよい。これによれば、支持部２２Ａのスペースを小さくすることができるとともに、当接部５３がカバー部材６としても兼ねることができ、カバー部材６を不要にできる。
前記第１実施形態では、螺合部５２がネジ孔２２Ａ１に螺合することで、脚部材５を安定化させていたが、螺合部５２及びネジ孔２２Ａ１に限定されず、これらが互いに係合し、脚部材５を安定できる構造であればよい。
【００３３】
前記第２実施形態では、脚部材５Ａは、開口部２２１を閉塞する位置と、机等の載置面に対して鉛直方向となる位置とに配置される二段階式であったが、これらの間に一段階設けて、三段階式としてもよい。この構成によれば、段階数を増やしたことにより、プロジェクター１の高さ調整を行うことができる。なお、三段階式に限定されるものではなく、多段階式に設定してもよい。
前記第２実施形態では、プロジェクター１を正置き設置する場合において、脚部材５Ａは、前方側に向けて回動していたが、側方側に向けて回動してもよい。
【産業上の利用可能性】
【００３４】
本発明は、プレゼンテーションやホームシアターに用いられるプロジェクターに利用できる。
【符号の説明】
【００３５】
１…プロジェクター、２…外装筐体、５，５Ａ…脚部材、６…カバー部材、２２…底面部、５０…ヒンジ（支持部材）、５１…螺合部（係合部）、５２…挿通軸部、５３…当接部、２２１…開口部、２２Ａ…支持部（支持部材）、２２Ａ１…ネジ孔（係合孔）。
【図１】
2010191269.tif 000003
【図２】
2010191269.tif 000004
【図３】
2010191269.tif 000005
【図４】
2010191269.tif 000006
【図５】
2010191269.tif 000007
【図６】
2010191269.tif 000008
【図７】
2010191269.tif 000009